【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
データを特定する画像を表示する表示部と、
前記表示部上に配置され、物体の接触を感知するタッチパネルと、
前記表示部が前記データを特定する画像を表示しているときに、前記タッチパネルが所定距離以上連続して接触を感知した場合に、前記データを送信する送信操作が行われたことを検出する送信操作検出部と、
前記送信操作検出部が送信操作を検出すると、他の電子機器に、前記データと、前記他の電子機器が前記データを受信する際の動作を制御するための制御情報とを送信する送信部と、
前記他の電子機器との距離を判断する距離推定部と、
前記距離推定部が推定した距離に基づいて、前記他の電子機器が前記データを受信してから前記データを受信したことを前記他の電子機器のユーザに通知するまでの時間である遅延時間を設定する遅延時間設定部とを備え、
前記制御情報は、前記遅延時間設定部が設定した遅延時間を含むことを特徴とする電子機器。
【請求項２】
請求項１に記載の電子機器において、
前記遅延時間設定部は、前記距離推定部が推定した距離が長いほど、前記遅延時間を長く設定する
ことを特徴とする電子機器。
【請求項３】
データを特定する画像を表示する表示部と、
前記表示部上に配置され、物体の接触を感知するタッチパネルと、
前記表示部が前記データを特定する画像を表示しているときに、前記タッチパネルが所定距離以上連続して接触を感知した場合に、前記データを送信する送信操作が行われたことを検出する送信操作検出部と、
前記送信操作検出部が送信操作を検出すると、他の電子機器に、前記データと、前記他の電子機器が前記データを受信する際の動作を制御するための制御情報とを送信する送信部と、
水平方向に対する電子機器の角度である姿勢角を検出する姿勢角検出部と、
前記姿勢角検出部が検出した角度に基づいて、前記他の電子機器が前記データを受信してから前記データを受信したことを前記他の電子機器のユーザに通知するまでの時間である遅延時間を設定する遅延時間設定部とを備え、
前記制御情報は、前記遅延時間設定部が設定した遅延時間を含むことを特徴とする電子機器。
【請求項４】
請求項３に記載の電子機器において、
前記姿勢角検出部が検出した姿勢角が直角に近いほど、前記遅延時間を長く設定する
ことを特徴とする電子機器。
【請求項５】
データを特定する画像を表示する表示部と、
前記表示部上に配置され、物体の接触を感知するタッチパネルと、
前記表示部が前記データを特定する画像を表示しているときに、前記タッチパネルが他の電子機器が位置する方向に向かって所定距離以上連続して接触を感知した場合に、前記データを送信する送信操作が行われたことを検出する送信操作検出部と、
前記送信操作検出部が送信操作を検出すると、前記他の電子機器に前記データを送信するデータ送信部と
を備えることを特徴とする電子機器。
【請求項６】
請求項５に記載の電子機器において、
前記データ送信部が前記データを送信する際に、前記他の電子機器が前記データを受信する際の動作を制御するための制御情報を送信する制御情報送信部を備えることを特徴とする電子機器。
【請求項７】
請求項６に記載の電子機器において、
前記他の電子機器との距離を判断する距離推定部と、
前記距離推定部が推定した距離に基づいて、前記他の電子機器が前記データを受信してから前記データを受信したことを前記他の電子機器のユーザに通知するまでの時間である遅延時間を設定する遅延時間設定部と
を備え、
前記制御情報送信部は、前記遅延時間設定部が設定した遅延時間を含む制御情報を前記他の電子機器に送信する
ことを特徴とする電子機器。
【請求項８】
請求項６又は７に記載の電子機器において、
前記タッチパネルが接触を感知した位置と時間に基づき、前記送信操作の速度を検出する速度検出部と、
前記速度検出部が検出した速度に基づいて、前記他の電子機器が前記データを受信した際に再生する効果音の再生音量を設定する音量レベル設定部と、
前記速度検出部が検出した速度に基づいて、前記他の電子機器が前記データを受信した際に発生する振動の大きさを設定する振動レベル設定部と、
を備え、
前記制御情報送信部は、音量レベル設定部が設定した再生音量と振動レベル設定部が設定した振動の大きさとを含む制御情報を前記他の電子機器に送信する
ことを特徴とする電子機器。
【請求項９】
請求項６から８のいずれか１項に記載の電子機器において、
水平方向に対する前記電子機器の角度である姿勢角を検出する姿勢角検出部と、
前記姿勢角検出部が検出した姿勢角に基づいて、前記他の電子機器が前記データを受信した際に再生する効果音を設定する効果音設定部と
を備え、
前記制御情報送信部は、効果音設定部が設定した効果音の識別情報を含む制御情報を前記他の電子機器に送信する
ことを特徴とする電子機器。
【請求項１０】
請求項７に記載の電子機器において、
水平方向に対する電子機器の角度である姿勢角を検出する姿勢角検出部を備え、
前記遅延時間設定部は、前記距離推定部が推定した距離が長いほど、或いは前記姿勢角検出部が検出した姿勢角が直角に近いほど、前記遅延時間を長く設定する
ことを特徴とする電子機器。
【請求項１１】
他の電子機器からデータを受信するデータ受信部と、
前記他の電子機器から前記データを受信する際の動作を制御するための制御情報を受信する制御情報受信部と、
前記データ受信部がデータを受信すると、前記制御情報受信部が受信した制御情報に基づく動作を行うデータ受信動作設定部と
を備え、
前記データ受信動作設定部は、前記制御情報受信部が遅延時間を含む制御情報を受信した場合、前記データ受信部がデータを受信してから前記遅延時間後に、ユーザに前記データを受信したことを通知することを特徴とする電子機器。
【請求項１２】
請求項１１に記載の電子機器において、
スピーカと、
振動波形に基づき振動する振動素子と
を備え、
前記データ受信動作設定部は、前記制御情報受信部が再生音量を含む制御情報を受信した場合、前記データ受信部がデータを受信すると、前記スピーカから前記再生音量にて効果音を再生し、前記制御情報受信部が振動の大きさを含む制御情報を受信した場合、前記データ受信部がデータを受信すると、前記振動の大きさに基づく振動波形を前記振動素子に出力する
ことを特徴とする電子機器。
【請求項１３】
請求項１１又は１２に記載の電子機器において、
スピーカを備え、
前記データ受信動作設定部は、前記制御情報受信部が効果音の識別情報を含む制御情報を受信した場合、前記データ受信部がデータを受信すると、前記スピーカから前記効果音を再生する
ことを特徴とする電子機器。
【請求項１４】
請求項１から１３のいずれか１項に記載の電子機器において、
前記電子機器に対して作用する力を検出するモーションセンサと、
振動波形に基づき振動する振動素子と、
前記データを記憶する記憶部と、
前記モーションセンサが検出した力に基づき、前記データの量に対する確認操作を検出する確認操作検出部と、
前記確認操作検出部が確認操作を検出すると、前記記憶部が記憶する前記データの量に対応する振動波形を前記振動素子に出力する確認動作設定部と、
を備えることを特徴とする電子機器。
【請求項１５】
データを特定する画像を表示する表示部と、
前記表示部上に配置され、物体の接触を感知するタッチパネルと、
を備える電子機器の送信操作検出部が、前記表示部が前記データを特定する画像を表示しているときに、前記タッチパネルが他の電子機器が位置する方向に向かって所定距離以上連続して接触を感知した場合に、前記データを送信する送信操作が行われたことを検出するステップと、
前記電子機器のデータ送信部が、前記送信操作検出部が送信操作を検出すると、前記他の電子機器に前記データを送信するステップと
を有することを特徴とするデータ送信方法。
【手続補正２】
【補正対象書類名】明細書
【補正対象項目名】０００６
【補正方法】変更
【補正の内容】
【０００６】
本発明は上記の課題を解決するためになされたものであり、本発明の一態様は、データを特定する画像を表示する表示部と、前記表示部上に配置され、物体の接触を感知するタッチパネルと、前記表示部が前記データを特定する画像を表示しているときに、前記タッチパネルが所定距離以上連続して接触を感知した場合に、前記データを送信する送信操作が行われたことを検出する送信操作検出部と、前記送信操作検出部が送信操作を検出すると、他の電子機器に、前記データと、前記他の電子機器が前記データを受信する際の動作を制御するための制御情報とを送信する送信部と、前記他の電子機器との距離を判断する距離推定部と、前記距離推定部が推定した距離に基づいて、前記他の電子機器が前記データを受信してから前記データを受信したことを前記他の電子機器のユーザに通知するまでの時間である遅延時間を設定する遅延時間設定部とを備え、前記制御情報は、前記遅延時間設定部が設定した遅延時間を含むことを特徴とする電子機器である。